(57)【要約】【課題】選択式試験と記述式試験とを併用した答案の採点を行うにあたって、採点処理を迅速に行うことができ、より正確な採点処理を行うことが可能な答案採点処理システムを提供する。【解決手段】答案用紙を読み取る読取手段１０１と、選択式試験の解答を記憶する選択式解答記憶手段３０２と、選択式解答記憶手段に格納された解答データを採点する選択式試験採点手段４０１と、選択式試験採点手段により採点された採点結果を記憶する採点結果記憶手段３０６と、記述式試験の採点対象者を絞り込むための判定基準を記憶する一次判定基準記憶手段３０９と、採点結果記憶手段に格納された選択式試験の採点結果と、一次判定基準記憶手段に格納された判定基準とから、記述式試験の採点対象者を決定し、採点結果記憶手段に採点対象者を記憶させる一次判定手段５０１とを備えた答案採点処理システム。【選択図】　図１
2004029107.tif 000002
【特許請求の範囲】
【請求項１】
選択式試験と記述式試験とを併用した答案の採点を行う答案採点処理システムであって、
設問に対する解答が記入された答案用紙を読み取る読取手段と、
前記読取手段により読み取られた選択式試験の解答を記憶する選択式解答記憶手段と、
該選択式解答記憶手段に格納された解答データを採点する選択式試験採点手段と、
該選択式試験採点手段により採点された採点結果を記憶する採点結果記憶手段と、
記述式試験の採点対象者を絞り込むための判定基準を記憶する一次判定基準記憶手段と、
前記採点結果記憶手段に格納された選択式試験の採点結果と、前記一次判定基準記憶手段に格納された判定基準とから、記述式試験の採点対象者を決定し、前記採点結果記憶手段に該採点対象者を記憶させる一次判定手段とを備えたことを特徴とする答案採点処理システム。
【請求項２】
前記読取手段により読み取られた記述式試験の解答イメージを記憶する記述式解答イメージ記憶手段と、
前記採点結果記憶手段に格納された一次判定結果に基づき、前記記述式解答イメージ記憶手段から採点対象の解答イメージを表示して、採点結果を前記採点結果記憶手段に格納する記述式試験採点手段とを備えたことを特徴とする請求項１記載の答案採点処理システム。
【請求項３】
複数の採点者の記述式試験の採点結果を格納した前記採点結果記憶手段から、採点の不一致を検出する採点比較手段をさらに備えたことを特徴とする請求項１または２記載の答案採点処理システム。
【請求項４】
前記選択式試験と記述式試験の総合的な合否判定をする合否判定手段をさらに備えたことを特徴とする請求項１、２または３記載の答案採点処理システム。
【発明の詳細な説明】
【０００１】
【発明の属する技術分野】
本発明は、答案採点処理システムに関し、特に、選択式試験と記述式試験とを併用した答案の採点を行う答案採点処理システムに関する。
【０００２】
【従来の技術】
一般に、教育機関や試験機関等で実施されている各種筆記試験は、その解答方法から、記述式試験と選択式試験に大きく分けることができる。また、記述式試験と選択式試験を併用した記述式・選択式併用試験も広く実施されている。
【０００３】
記述式試験は、個々の設問に対し、受験者が答案用紙に直接その設問の解答を記入する試験である。一方、選択式試験は、個々の設問に対する解答が複数の選択肢として予め出題者から提示され、受験者は、その中から適当な解答を一つまたは複数選択して答案用紙に記入する試験である。
【０００４】
選択式試験では、解答毎に定められた答案用紙の所定位置を黒鉛筆等で黒く塗りつぶして解答するマークシート方式が広く採用されている。マークシート方式では、答案用紙を高速に読み取るマークシートリーダを使用し、また、マークシートは、誤読等が少ないことから、迅速かつ正確な答案採点処理を可能にしている。
【０００５】
しかしながら、選択式試験では、受験者が適当に解答したものが偶然正解になる可能性もあるため、受験者の本当の実力を正確に反映できるとは限らない。そのため、より正確な知識、学力を問うため、記述式試験を併用することが多い。
【０００６】
一方、記述式試験では、受験者が所定の解答位置に手書き文字で解答を記入しており、ＯＣＲ等を使用した文字認識を実施したとしても、認識率が低く、また、正解が複数存在する場合もある等、様々な問題のため、機械を利用した採点処理の実用化には程遠い。
【０００７】
そのため、従来は、採点者が答案用紙を直接採点し、点数あるいは正誤を答案用紙にマークして、再度マークシートリーダによる読取を実施する方法や、端末から個々の設問の点数あるいは正誤をキー入力する方法等が採られていた。これらの方法では、採点処理速度が遅くなるとともに、採点ミス、転記ミス等の人為的ミスが発生しやすくなることは否定できない。
【０００８】
そこで、記述式試験の採点に関して、上記のような問題点を解決する答案採点処理システムの一例が、特開平９−６８９１９号公報及び特開２０００−１２２５１７号公報に記載されている。図１４に示すように、この従来の答案採点処理システムは、読取手段１０１と、記憶手段３００と、記述式試験採点手段２０１とから構成されている。また、記憶手段３００は、答案用紙定義記憶手段３０１と、記述式解答イメージ記憶手段３０３と、記述式模範解答記憶手段３０７と、記述式採点基準記憶手段３０８と、採点結果記憶手段３０６とから構成されている。
【０００９】
このような構成を有する従来の答案採点処理システムは、概ね次のように動作する。すなわち、解答の記入された答案用紙は、答案用紙定義記憶手段３０１に格納された個々の解答位置情報に基づき、読取手段１０１により、スキャナ等の入力装置を用いて光学的に読み取られ、個々の解答位置毎に部分イメージデータが生成され、記述式解答イメージ記憶手段３０３に格納される。
【００１０】
記述式試験採点手段２０１は、採点者の指示により、指定された設問の解答の部分イメージデータを記述式解答イメージ格納手段３０３から、指定された設問の模範解答を記述式模範解答記憶手段３０７から、指定された設問の採点基準を記述式採点基準記憶手段３０８から各々読み込み、採点者の処理端末の画面等の表示装置に表示する。
【００１１】
そして、採点者は、表示装置に表示された内容から、表示された解答の採点を行い、点数あるいは正誤をキーボード、マウス等の入力装置を使用して入力する。次に、記述式試験採点手段２０１は、入力された内容と、採点基準に基づいて採点結果を採点結果記憶手段３０６に格納し、次の受験者のデータを表示する。また、採点にあたって、検討を要する解答の場合には、記述式試験採点手段２０１において、採点を保留する機能を有するものもある。
【００１２】
これまでも述べてきたように、記述式試験の採点を完全に機械化するには困難で、また、前記従来の答案採点処理システムを使用したとしても、採点処理の若干の効率化は見込めるが、結局は人手による採点処理となるので、大幅な業務効率の向上には繋がらない。
【００１３】
そこで、一部の試験機関では、記述式試験の採点処理でいわゆる足切りを実施している。これは、選択式試験の採点結果より、記述式試験がたとえ満点であったとしても、合格する可能性がない受験者については、記述式試験の採点を行わないというものである。試験そのものの難易度にもよるが、これにより、記述式試験の採点を行う対象者を削減することができ、採点処理にかかる時間を削減することができるという利点がある。
【００１４】
【発明が解決しようとする課題】
しかし、上記両公報に記載の従来答案採点処理システムでは、足切りについて何ら考慮されていないため、試験機関では、すべての答案用紙の中から、一定の基準を満たした受験者の答案用紙を抜き取って採点処理を行うか、全員について採点を行わなければならず、採点した結果は、答案用紙の所定欄にマークして、再度読取を行ったり、キー入力により登録している。また、答案用紙の抜き取りを行った場合には、その答案用紙を元の位置に戻す作業が発生する。そのため、選択式試験、記述式試験の採点処理に長時間を要するという問題があった。
【００１５】
また、第２に、複数の採点者で同一の解答に対して採点を行う機能を有していないため、採点者が採点ミスや点数の入力ミスをしたとしても、それをチェックすることができず、採点の正確性が採点者のスキルに依存するという問題があった。
【００１６】
そこで、本発明は、上記従来の答案採点処理システムにおける問題点に鑑みてなされたものであって、選択式試験、記述式試験の採点処理を迅速に行うことができ、より正確な採点処理を行うことが可能な答案採点処理システムを提供することを目的とする。
【００１７】
【課題を解決するための手段】
上記目的を達成するため、本発明は、選択式試験と記述式試験とを併用した答案の採点を行う答案採点処理システムであって、設問に対する解答が記入された答案用紙を読み取る読取手段と、前記読取手段により読み取られた選択式試験の解答を記憶する選択式解答記憶手段と、該選択式解答記憶手段に格納された解答データを採点する選択式試験採点手段と、該選択式試験採点手段により採点された採点結果を記憶する採点結果記憶手段と、記述式試験の採点対象者を絞り込むための判定基準を記憶する一次判定基準記憶手段と、前記採点結果記憶手段に格納された選択式試験の採点結果と、前記一次判定基準記憶手段に格納された判定基準とから、記述式試験の採点対象者を決定し、前記採点結果記憶手段に該採点対象者を記憶させる一次判定手段とを備えたことを特徴とする。
【００１８】
そして、本発明によれば、１次判定手段により、記述式試験の採点対象者を絞り込んだ後、記述式試験の採点をすることができるため、受験者全員について記述式試験の採点をしなくても、適切に合否の判定ができ、採点処理に要する時間を大幅に削減することができる。
【００１９】
上記答案採点処理システムにおいて、前記読取手段により読み取られた記述式試験の解答イメージを記憶する記述式解答イメージ記憶手段と、前記採点結果記憶手段に格納された一次判定結果に基づき、前記記述式解答イメージ記憶手段から採点対象の解答イメージを表示して、採点結果を前記採点結果記憶手段に格納する記述式試験採点手段とを備えるように構成することもできる。
【００２０】
また、上記答案採点処理システムにおいて、複数の採点者の記述式試験の採点結果を格納した前記採点結果記憶手段から、採点の不一致を検出する採点比較手段をさらに備えるようにしてもよい。この構成によれば、複数の採点者が採点した記述式試験の採点結果を採点結果記憶手段に格納し、採点比較手段で、各採点者の採点結果の不一致をチェックするため、複数の採点者によって記述式試験の採点をすることができ、より正確な採点処理が可能となる。
【００２１】
さらに、上記答案採点処理システムに、前記選択式試験と記述式試験の総合的な合否判定をする合否判定手段をさらに備えるように構成することができる。
【００２２】
【発明の実施の形態】
次に、本発明の実施の形態について図面を参照しながら詳細に説明する。
【００２３】
図１は、本発明にかかる答案採点処理システムの一実施例を示し、この答案採点処理システムは、解答が記入された答案用紙を図示しないマークシートリーダ等の入力装置で光学的に読み取る読取手段１０１と、記述式試験の採点を行う記述式試験採点手段２０１と、選択式試験の解答データ、記述式試験の解答イメージ、採点結果等を格納する記憶手段３００と、選択式試験の採点を行う選択式試験採点手段４０１と、記述式試験の採点対象者を決定する一次判定手段５０１と、複数の採点者による採点結果を比較する採点比較手段６０１と、最終的な試験の合否判定や成績の決定を行う合否判定手段７０１とから構成されている。尚、本実施の形態では、１つの読取手段１０１を用いる場合について説明するが、大量の答案用紙の読取が必要な場合には、複数の読取手段を設けてもよい。
【００２４】
記憶手段３００は、答案用紙のマーク読取位置情報及び部分イメージを取得するための記述式試験の解答位置情報を格納する答案用紙定義記憶手段３０１と、選択式試験の解答データ等を格納する選択式解答記憶手段３０２と、記述式試験の解答イメージデータを格納する記述式解答イメージ記憶手段３０３と、選択式試験の正解データを格納する選択式正解記憶手段３０４と、選択式試験の採点基準を格納する選択式採点基準記憶手段３０５と、採点結果を格納する採点結果記憶手段３０６と、記述式試験の模範解答を格納する記述式模範解答記憶手段３０７と、記述式試験の採点基準を格納する記述式採点基準記憶手段３０８と、記述式試験の採点対象者を決定するための基準を格納する一次判定基準記憶手段３０９と、最終的な試験の合否を判定するための基準を格納する合否判定基準記憶手段３１０とを含む。
【００２５】
また、図１には、記述式試験採点手段２０１は、１つしか図示しないが、複数の採点者によって記述式試験の採点を行うため、通常、複数の処理端末に存在している。しかし、１つの処理端末でも処理は可能である。
【００２６】
次に、前記各手段の動作について順に説明する。
【００２７】
読取手段１０１は、解答が記入された答案用紙を、答案用紙定義記憶手段３０１に格納されたマーク読取位置情報及び個々の解答位置情報に基づいてマークシートリーダ等の入力装置で光学的に読み取り、マークシートリーダ等の入力装置により自動的に答案用紙に対して付された答案用紙の識別符号、あるいは答案用紙に印刷・貼付された他の答案用紙と重複しないバーコードの読取結果をマーク読取結果と関連付けしたデータを選択式解答記憶手段３０２に格納する。また、個々の解答位置の部分イメージデータは、答案用紙の識別符号あるいはバーコードの読取結果と関連付けて、記述式解答イメージ記憶手段３０３に格納する。
【００２８】
記述式試験採点手段２０１は、採点者の指示に基づき、指定された設問の解答イメージデータを記述式解答イメージ記憶手段３０３から、模範解答を記述式模範解答記憶手段３０７から、採点基準を記述式採点基準記憶手段３０８から各々取得し、図示しない採点者の端末のＣＲＴ等の表示装置に表示する。採点者は表示された解答イメージを採点し、採点結果を図示しないキーボード、マウス等の入力装置から入力する。記述式試験採点手段２０１は、入力された採点結果と採点基準とを照合し、採点結果を採点結果記憶手段３０６に格納する。
【００２９】
選択式試験採点手段４０１は、選択式試験の解答データを選択式解答記憶手段３０２から、正解データを選択式正解記憶手段３０４から、判定基準を選択式採点基準記憶手段３０５から各々取得し、それらから自動的に採点し、採点結果を採点結果記憶手段３０６に格納する。
【００３０】
一次判定手段５０１は、採点結果記憶手段３０６に格納された採点結果と一次判定記憶手段３０９に格納された一次判定基準とから、記述式試験の採点対象者を決定し、採点結果記憶手段３０６に結果を格納する。
【００３１】
採点比較手段６０１は、複数の採点者により採点された同一の設問について、その採点結果を比較し、結果を採点結果記憶手段３０６に格納する。また、比較結果を図示しない採点者の端末のＣＲＴ等の表示装置に表示したり、図示しないプリンタ等の出力装置に出力することができる。
【００３２】
合否判定手段７０１は、採点結果記憶手段３０６に格納された採点結果と合否判定記憶手段３１０に格納された合否判定基準とから、選択式試験と記述式試験とを総合した最終的な試験の合否を判定し、採点結果記憶手段３０６に結果を格納する。
【００３３】
次に、図１及び図２のフローチャートを参照しながら前記答案採点処理システムの全体の動作について詳細に説明する。
【００３４】
まず、読取手段１０１において、図示しないマークシートリーダ等の入力装置による答案用紙の読取を行う（ステップＡ１）。次に、選択式試験採点手段４０１において、選択式試験の採点処理を行う（ステップＡ２）。続いて、一次判定手段５０１において、選択式試験の採点結果と、一次判定基準とから一次判定処理を行い、記述式試験の採点対象者が決定される（ステップＡ３）。
【００３５】
次に、記述式試験採点手段２０１において、採点者が記述式試験の採点処理を行う（ステップＡ４）。この処理は、複数の採点者によって異なる設問の採点を同時に行うことができる。また、複数の採点者によって同じ設問の採点を同時に行うこともできる。複数の採点者によって採点された記述式試験の採点結果は、採点比較手段６０１において、一致しているかチェックされる（ステップＡ５）。
【００３６】
最後に、合否判定手段７０１において、選択式試験の採点結果と、記述式試験の採点結果と、合否判定基準とから、最終的な試験の合否判定処理を行う（ステップＡ６）。
【００３７】
次に、図２の各ステップの個々の動作について詳細に説明する。
【００３８】
図３は、答案用紙の読取（図２ステップＡ１）の動作の詳細を示すフローチャートである。
【００３９】
まず、予め登録していた答案用紙定義を答案用紙定義記憶手段３０１から取得し、図示しないマークシートリーダ等の入力装置に転送する（ステップＢ１）。
【００４０】
操作者は、読取を行う解答の記入された答案用紙の束を図示しないマークシートリーダ等の入力装置にセットする（ステップＢ２）。
【００４１】
次に、操作者が、読取開始を指示する（ステップＢ３）と、図示しないマークシートリーダ等の入力装置は、セットされた答案用紙の束から１枚の答案用紙を読み込む（ステップＢ４）。答案用紙が読み込まれると、図示しないマークシートリーダ等の入力装置は、転送された答案用紙定義に従って、マーク情報及びバーコード情報等を読み取り、読取手段１０１は、読取結果を選択式解答記憶手段３０２に格納する（ステップＢ５）。さらに、図示しないマークシートリーダ等の入力装置は、答案用紙定義に従って、記述式解答が記入された部分について、設問毎のイメージを取得し、読取手段１０１は、取得したイメージを記述式解答イメージ記憶手段３０３に格納する（ステップＢ６）。
【００４２】
図示しないマークシートリーダ等の入力装置は、セットされた答案用紙の束の読取が終了するまで、ステップＢ４以降を繰り返し処理する（ステップＢ７）。操作者は、すべての答案用紙の読取が終了するまで、ステップＢ２以降を繰り返し処理する（ステップＢ８）。
【００４３】
図４は、選択式試験の採点（図２ステップＡ２）の動作の詳細を示すフローチャートである。
【００４４】
まず、操作者が、処理開始を指示する（ステップＣ１）と、選択式試験採点手段４０１は、選択式解答記憶手段３０２から選択式試験の解答データを読み込む（ステップＣ２）。続いて、選択式正解記憶手段３０４と、選択式採点基準記憶手段３０５とから、予め登録していた正解及び採点基準を取得する（ステップＣ３）。
【００４５】
次に、選択式試験採点手段４０１は、読み込んだ解答データから１人分の解答データを取得し（ステップＣ４）、読み込んだ正解・採点基準から１問分の正解・採点基準を取得して（ステップＣ５）、当該設問の採点処理を行い、採点結果を採点結果記憶手段３０６に格納する（ステップＣ６）。
【００４６】
選択式試験採点手段４０１は、すべての設問の採点が終了するまで、ステップＣ５、Ｃ６を繰り返し処理する（ステップＣ７）。そして、すべての設問の採点処理が終了したら、当該受験者の選択式試験の採点結果を集計し、採点集計結果を採点結果記憶手段３０６に格納する（ステップＣ８）。選択式試験採点手段４０１は、すべての受験者が終了するまで、ステップＣ４以降を繰り返し処理する（ステップＣ９）。
【００４７】
図５は、一次判定処理（図２ステップＡ３）の動作の詳細を示すフローチャートである。
【００４８】
まず、操作者が、処理開始を指示する（ステップＤ１）と、一次判定手段５０１は、一次判定基準記憶手段３０９から予め登録していた一次判定基準を読み込む（ステップＤ２）。
【００４９】
次に、一次判定手段５０１は、採点結果記憶手段３０６からすべての受験者の選択式試験の採点集計結果を読み込み（ステップＤ３）、先に読み込んだ一次判定基準と照らし合わせて判定処理を行い、一次判定結果を採点結果記憶手段３０６に格納する（ステップＤ４）。
【００５０】
図６は、記述式試験の採点（図２のステップＡ４）の動作の詳細を示すフローチャートである。
【００５１】
まず、採点者は、予め自らに与えられていた採点者コードを入力する（ステップＥ１）。次に、採点者は、採点を行う設問番号を入力する（ステップＥ２）と、記述式試験採点手段２０１は、記述式模範解答記憶手段３０７と、記述式採点基準記憶手段３０８とから、予め登録していた模範解答及び採点基準を取得する（ステップＥ３）。
【００５２】
次に、採点者は、採点対象を入力する（ステップＥ４）。ここで言うところの採点対象とは、すべての受験者、一次判定基準を満たしている受験者あるいは前回処理時に採点を保留した受験者等であり、採点者は、この中から今回採点処理を行う対象者を入力する。また、大量の受験者が存在する場合等には、複数の採点者で分散して採点処理を実行するために、受験番号範囲等の絞込条件を設定できることが望ましい。
【００５３】
採点対象者が入力されると、記述式試験採点手段２０１は、採点結果記憶手段３０６から、採点対象データを抽出する（ステップＥ５）。採点対象データが存在するかをチェックし（ステップＥ６）、データが存在しない場合には、ステップＥ２に戻り、再度設問番号の指定から行わせる。
【００５４】
採点対象データが存在する場合には、１人分の受験者の当該設問の記述式解答イメージデータを記述式解答イメージ格納手段３０３から読み込み（ステップＥ７）、模範解答と合わせて採点画面に表示する（ステップＥ８）。次に、採点者は、画面上で模範解答と解答イメージとを照らし合わせ、採点結果を入力する（ステップＥ９）。
【００５５】
記述式試験採点手段２０１は、採点基準に基づいて、入力された採点結果の妥当性をチェックし（ステップＥ１０）、妥当性に問題があるときには、ステップＥ９に戻り、再度採点結果を入力させる（ステップＥ１１）。一方、妥当性のチェックにおいて、問題がない場合には、入力された採点結果と採点基準とから採点処理を行い、採点結果を採点結果記憶手段３０６に格納する（ステップＥ１２）。
【００５６】
すべての対象者について採点処理が終了するまで、ステップＥ７以降を繰り返し処理する（ステップＥ１３）。当該設問について、すべての対象者の採点処理が終了したら、終了確認メッセージを画面に表示し、終了しない場合には、ステップＥ２に戻り、設問番号の入力を行う（ステップＥ１４）。
【００５７】
図７は、記述式採点チェック（図２のステップＡ５）の動作の詳細を示すフローチャートである。
【００５８】
まず、採点者が、処理開始を指示する（ステップＦ１）と、採点比較手段６０１は、採点結果記憶手段３０６から複数の採点者によりなされた同一の受験者の採点結果に相違がないかチェックする（ステップＦ２）。
【００５９】
チェックした結果、エラーがない場合には、処理を終了し（ステップＦ３）、エラーが存在する場合には、記述式解答イメージ格納手段３０３から当該設問、当該受験者の解答イメージデータを取得し、複数の採点者による採点結果と合わせて画面に表示する（ステップＦ４）。
【００６０】
図８は、合否判定処理（図２のステップＡ６）の動作の詳細を示すフローチャートである。
【００６１】
まず、操作者が、処理開始を指示する（ステップＧ１）と、合否判定手段７０１は、合否判定基準記憶手段３１０から予め登録していた合否判定基準を読み込む（ステップＧ２）。
【００６２】
次に、合否判定手段７０１は、採点結果記憶手段３０６からすべての受験者の選択式試験の採点集計結果及び記述式試験の採点結果を読み込み（ステップＧ３）、先に読み込んだ合否判定基準と照らし合わせて判定処理を行い、合否判定結果を採点結果記憶手段３０６に格納する（ステップＧ４）。
【００６３】
以上説明したように、本実施例においては、一次判定手段５０１の判定結果に基づいて、記述式試験採点手段２０１における採点対象者の絞込みが可能であるため、選択式試験の採点結果により、合格の可能性がある受験者のみ記述式試験の採点を行うことが可能となり、採点業務を効率化することができる。
【００６４】
また、本実施例では、記述式試験採点手段２０１は、絞り込んだ受験者の解答データを画面上で採点できるため、記述式試験の採点対象の答案用紙を、すべての答案用紙の中から探して抜き取り、採点処理後、元の位置に戻す作業が不要となる。
【００６５】
さらに、本実施の形態では、記述式試験採点手段２０１及び採点比較手段６０１により、複数の採点者が同一の志願者の同一の設問に関して、採点処理が行えるため、公平かつ正確な採点が可能となる。
【００６６】
次に、さらに具体的な実施例を用いて本発明にかかる答案採点処理システムの動作について説明する。
【００６７】
図９は、本実施例で使用する答案用紙の一例を示し、この答案用紙は、バーコードと、受験番号記入枠と、選択式試験解答欄と、記述式試験解答欄とを備えている。
【００６８】
バーコードは、答案用紙を識別するため、個々の答案用紙毎に異なるコードが付されている。また、バーコードは、誤読の可能性が極めて低く、また、答案用紙の識別に利用することで、採点者には、誰の答案用紙かが判らないため、極めて公平な採点処理が可能となる。
【００６９】
受験番号記入枠は、個々の受験者に割り当てられた固有の受験番号をマーク記入する。選択式試験解答欄は、設問で与えられた選択肢の中から受験者が選択し、設問毎、選択肢毎に定められている場所にマーク記入する。記述式試験解答欄は、設問に対する解答を記述する。
【００７０】
読取手段１０１（図１参照）で答案用紙を読み取るため、予め答案用紙を読み取るための情報を答案用紙定義記憶手段３０１に登録しておく必要がある。ここで、登録する定義には、用紙サイズ、用紙厚、バーコード位置、マーク読取位置、イメージ取得位置、バーコード・マーク読取結果の出力レイアウト等がある。
【００７１】
操作者は、マークシートリーダ等の入力装置に答案用紙をセットし、答案用紙の読取を行う。ここで使用するマークシートリーダ等の入力装置は、マーク、バーコードの読取が可能で、答案用紙上の複数の部分イメージを取得することができ、かつ、大量の答案用紙を読み取る必要があるため、できるだけ多くの答案用紙を積載することができ、連続して高速に入力できるものがよい。
【００７２】
読取手段１０１は、マークシートリーダ等の入力装置で読み取られた答案用紙の識別のためのバーコード、受験番号、選択式試験の解答データを選択式解答記憶手段３０２に格納する。
【００７３】
さらに、読取手段１０１は、マークシートリーダ等の入力装置で取得された複数の記述式試験の解答イメージに、答案用紙識別のためのバーコード及び設問識別情報を付加して、記述式解答イメージ記憶手段３０３に格納する。
【００７４】
続いて、選択式試験の採点を行う。尚、本実施例では、操作者が答案用紙を読取後、改めて選択式試験の採点を指示するが、選択式解答データの格納時に、自動的に採点処理を行うように構成してもよい。
【００７５】
選択式試験の採点を行う前に、予め設問毎の正解、採点基準を各々選択式正解記憶手段３０４と、選択式採点基準記憶手段３０５とに登録しておく必要がある。選択式正解記憶手段３０４には、各設問の正解となる選択肢に付与された番号を格納する。また、選択式採点基準記憶手段３０５には、各設問の配点、採点方法、分野等を格納する。採点方法とは、各々の設問に対する配点の付与方法で、個々の設問毎に配点する方法や、複数の設問を組にして、解答順序も含めてすべて正解した場合に配点する方法や、解答順序は問わずすべて正解した場合に配点する方法等がある。
【００７６】
選択式試験採点手段４０１は、選択式解答記憶手段３０２から読み込んだ解答データと、選択式正解記憶手段３０４から読み込んだ正解データと、選択式採点基準記憶手段３０５とから、各受験者の選択式試験の採点を行い、採点結果を採点結果記憶手段３０６に格納する。ここで格納される採点結果は、各設問の得点及び分野毎に集計した得点、選択式試験全体の合計得点等である。
【００７７】
続いて、一次判定処理を行う。尚、本実施例では、操作者が選択式試験の採点後、改めて一次判定処理を指示するが、選択式試験の採点結果を格納する時に、自動的に判定を行うように構成してもよい。
【００７８】
一次判定処理を行う前に、予め記述式試験の採点対象者を絞り込むための判定基準を一次判定基準記憶手段３０９に登録しておく必要がある。
【００７９】
図１０に選択式試験の満点、一次判定基準、受験者Ａの得点、受験者Ｂの得点の一例を示す。
【００８０】
一次判定手段５０１は、一次判定基準記憶手段３０９から一次判定基準、この例では、Ａ分野１５点、Ｂ分野１０点、選択式試験合計２０点という基準を取得し、それと採点結果記憶手段３０６に格納されている各受験者の分野毎に集計した得点、選択式試験全体の合計得点等とを照合して、一次判定結果を採点結果記憶手段３０６に返す。図１０に示した例では、受験者Ａはすべての基準を満たしているので、一次判定結果として、合格が返される。また、受験者ＢはＢ分野の基準を満たしていないので、合計では受験者Ａを上回っているが、一次判定結果として不合格が返される。この一次判定処理により、記述式試験の採点を行うべき受験者の総数を削減することができ、記述式試験の採点処理の効率化が可能となる。
【００８１】
尚、この例では、判定基準に２つの分野と選択式試験の合計得点を使用しているが、試験によっては、合計得点のみを使用する場合もある。また、分野数が増える場合もある。
【００８２】
次に、一次判定結果に基づいた記述式試験の採点を行う。
【００８３】
記述式試験の採点を行う前に、予め設問毎の模範回答、採点基準を各々記述式模範解答記憶手段３０７と、記述式採点基準記憶手段３０８とに登録しておく必要がある。記述式模範解答記憶手段３０７には、各設問の模範解答を格納する。また、記述式採点基準記憶手段３０８には、各設問の配点、中間点の有無、分野等を格納する。
【００８４】
図１１に記述式試験の採点画面の一例を示す。採点画面は、設問分野と、設問番号と、答案用紙識別番号と、抽出したデータの総数及び採点処理数と、採点者コードと、模範解答表示エリアと、解答イメージ表示エリアと、採点用ボタン及びテキストボックスと、採点保留ボタンと、採点結果登録ボタンと、採点終了ボタンとを備える。尚、これは、採点画面の一例であり、レイアウト及び表示項目は、採点を行う試験毎に最適化された画面を設計するのが望ましい。また、公正な採点処理を実現するため、受験番号は表示せず、答案用紙の識別番号を表示することで、受験者の特定ができない仕組みを提供する。
【００８５】
まず、採点者Ａは、採点者コード「Ａ」を入力する。次に、採点を行う分野「Ｃ分野」及び設問番号「問２」を入力する。ここで、記述式試験採点手段２０１は、記述式模範解答記憶手段３０７と、記述式採点基準記憶手段３０８とから「Ｃ分野−問２」の模範解答と採点基準を取得する。
【００８６】
次に、採点者Ａは、採点対象として、一次判定基準を満たした受験者を指定し、さらに受験番号範囲を指定する。すると、記述式試験採点手段２０１は、指定された受験番号範囲の受験者で、かつ、一次判定処理で合格となった受験者を抽出する。
【００８７】
記述式試験採点手段２０１は、抽出した一次判定処理で合格者となった受験者の解答イメージを記述式解答イメージ記憶手段３０３から取得し、採点画面の解答イメージ表示エリアに表示する。採点者Ａは、表示された模範解答と、解答イメージとから採点を行い、採点用ボタン及び得点入力用テキストボックスを使用して採点結果を入力する。そして、採点者Ａが採点登録ボタンを押すと、記述式試験採点手段２０１は、採点者コード及び採点結果を採点結果記憶手段３０６に登録する。
【００８８】
このとき、採点基準を参照して、採点結果の妥当性もチェックする。例えば、中間点の存在しない設問で、中間点を入力している場合には、エラーを返す。採点結果の登録が正常に終了すると、記述式試験採点手段２０１は、次の受験者の解答イメージを解答イメージ表示エリアに表示する。
【００８９】
記述式試験の採点処理が終了すると、最終的な合否判定を行う前に、各採点者の採点結果を比較する。複数の採点者によりなされた記述式試験の採点の一例を図１２に示す。この例では、受験者Ａの採点処理を採点者Ａ及び採点者Ｂが行っているが、Ｃ分野の問２の採点結果が異なっている。
【００９０】
採点比較手段６０１は、採点結果記憶手段３０６から、すべての採点結果について不一致がないかチェックし、不一致の設問が検出されると、画面等の表示装置あるいはプリンタ等の出力装置に設問番号、受験番号、採点者毎の採点結果をリスト出力する。採点者は、このリストを元に協議し、記述式試験採点手段２０１により正しい採点結果を再登録する。
【００９１】
最後に、合否判定処理を行う。合否判定処理を行う前に、予め合否判定基準を合否判定基準記憶手段３１０に登録しておく必要がある。
【００９２】
図１３に、合否判定基準、受験者Ａの得点、受験者Ｂの得点、受験者Ｃの得点の一例を示す。
【００９３】
合否判定手段７０１は、合否判定基準記憶手段３１０から合否判定基準、この例では、Ａ分野１５点、Ｂ分野１０点、選択式試験合計２０点、Ｃ分野２５点、合計得点７０点という基準を取得し、それと採点結果記憶手段３０６に格納されている各受験者の分野毎に集計した得点、選択式試験の得点、試験全体の合計得点と照合して、合否判定結果を採点結果記憶手段３０６に返す。図１３の例では、受験者Ａはすべての基準を満たしているので、合否判定結果として、合格が返される。また、受験者ＢはＢ分野の基準を満たしていないので、記述式試験の採点がされておらず、合否判定結果として不合格が返される。また、受験者Ｃは、分野毎の基準は満たしているが、合計得点で基準点に達していないため、合否判定結果として、不合格が返される。
【図面の簡単な説明】
【図１】本発明にかかる答案採点処理システムの一実施例の構成を示すブロック図である。
【図２】図１の答案採点処理システムの全体の動作を示すフローチャートである。
【図３】図２の答案用紙の読取の動作を示すフローチャートである。
【図４】図２の選択式試験の採点の動作を示すフローチャートである。
【図５】図２の一次判定処理の動作を示すフローチャートである。
【図６】図２の記述式試験の採点の動作を示すフローチャートである。
【図７】図２の記述式採点チェックの動作を示すフローチャートである。
【図８】図２の合否判定処理の動作を示すフローチャートである。
【図９】本発明にかかる答案採点処理システムで使用する答案用紙の一例を示す図である。
【図１０】本発明にかかる答案採点処理システムにおける一次判定基準及び受験者の得点の一例を示す図である。
【図１１】本発明にかかる答案採点処理システムで使用する記述式試験の採点画面の一例を示す図である。
【図１２】本発明にかかる答案採点処理システムにおける複数の採点者によりなされた記述式試験の採点結果の一例を示す図である。
【図１３】本発明にかかる答案採点処理システムにおける合否判定基準及び受験者の得点の一例を示す図である。
【図１４】従来の答案採点処理システムの一例を示すブロック図である。
【符号の説明】
１０１　読取手段
２０１　記述式試験採点手段
３００　記憶手段
３０１　答案用紙定義記憶手段
３０２　選択式解答記憶手段
３０３　記述式解答イメージ記憶手段
３０４　選択式正解記憶手段
３０５　選択式採点基準記憶手段
３０６　採点結果記憶手段
３０７　記述式模範解答記憶手段
３０８　記述式採点基準記憶手段
３０９　一次判定基準記憶手段
３１０　合否判定基準記憶手段
４０１　選択式試験採点手段
５０１　一次判定手段
６０１　採点比較手段
７０１　合否判定手段
【図１】
2004029107.tif 000003
【図２】
2004029107.tif 000004
【図３】
2004029107.tif 000005
【図４】
2004029107.tif 000006
【図５】
2004029107.tif 000007
【図６】
2004029107.tif 000008
【図７】
2004029107.tif 000009
【図８】
2004029107.tif 000010
【図９】
2004029107.tif 000011
【図１０】
2004029107.tif 000012
【図１１】
2004029107.tif 000013
【図１２】
2004029107.tif 000014
【図１３】
2004029107.tif 000015
【図１４】
2004029107.tif 000016